(57)【要約】      （修正有）【課題】ユーザーが情報を得ようとする商品を表現した図形をＣＭＯＳ素子等のカメラにかざすだけで、その商品情報を得ることができる情報表示体を提供する。【解決手段】商品を表現した図形と、図形に一体的に表現した二次元コードとからなる情報表示体とする。二次元コードは商品を表現した図形の全体又は要部に一体的に表現してあってもよく、商品を表現した図形は二次元コードの外側に一体的に形成してあってもよい。情報表示体は、商品の物品形状等を表現してあるので、一般ユーザーや取引者がどのような物品等に関する情報であるかが容易に認識することができ、これをいわゆるスマートフォン，タブレット等の携帯端末に内蔵されたＣＭＯＳカメラ等の撮像素子にかざすだけで、これらの携帯端末にその物品等に関する情報を表示したり、それらを取り扱う企業や販売者等のウェブサイトに切り換え表示できるようにすることもできる。【選択図】図１
2020140681.tif 000002
【特許請求の範囲】
【請求項１】
商品を表現した図形と、当該図形に一体的に表現した二次元コードとからなることを特徴とする情報表示体。
【請求項２】
前記二次元コードは前記商品を表現した図形の全体又は要部に一体的に表現してあることを特徴とする請求項１記載の情報表示体。
【請求項３】
前記商品を表現した図形は前記二次元コードの外側に一体的に形成してあることを特徴とする請求項１記載の情報表示体。
【発明の詳細な説明】
【技術分野】
【０００１】
本発明は、商品をイメージする図柄と二次元コードを一体化した情報表示体に関する。
【背景技術】
【０００２】
商品の取引の決済にＱＲコード（登録商標）等の二次元コードを用いることが行われたり、生産ラインや物流過程にて、製品，商品等の管理にも広く使用されている。
例えば特許文献１には、部品の３次元画像を特定する部品形状データと、部品を識別するＱＲコード画像データとを組み合せた技術を開示する。
しかし、これではデータの内容を取得及び解析、表示するのに特定のソフトウェアが必要となるため、一般的な普及には困難である。
特許文献２には、ＣＣＤカメラの前にオブジェクトをかざすと、このオブジェクトに表示された２次元コードを認識することで、顔画像等がこのオブジェクトに合成表示される技術を開示する。
しかし、同公報に開示するオブジェクトは、所望するアプリケーションプログラムを起動させるためのものであり、またオブジェクト上にＱＲコード等が単に表示されているに過ぎず、商品をイメージする図形等と組み合せたものでもない。
【先行技術文献】
【特許文献】
【０００３】
【特許文献１】特開２０１３−０７３５２２号公報
【特許文献２】特開２０００−０８２１０７号公報
【発明の概要】
【発明が解決しようとする課題】
【０００４】
本発明は、ユーザーが情報を得ようとする商品を表現した図形をＣＭＯＳ素子等のカメラにかざすだけで、その商品情報を得ることができる情報表示体の提供を目的とする。
【課題を解決するための手段】
【０００５】
本発明に係る情報表示体は、商品を表現した図形と、当該図形に一体的に表現した二次元コードとからなることを特徴とする。
【０００６】
ここで、二次元コードは前記商品を表現した図形の全体又は要部に一体的に表現してあってもよく、商品を表現した図形は前記二次元コードの外側に一体的に形成してあってもよい。
【０００７】
本発明にて、商品を表現した図形とは、例えば商品の外径形状を表現した図柄等であって、消費者等の一般ユーザーや、商品の取引者が容易にその商品等を認識できるものをいう。
本発明に係る情報表示体は、この商品を表現した図形等と一般的に二次元コードを表現した点に特徴があり、従来の商品やその商品画像の一部に二次コードを単に表示したものとは相違する。
【発明の効果】
【０００８】
本発明に係る情報表示体は、商品の物品形状等を表現してあるので、一般ユーザーや取引者がどのような物品等に関する情報であるかが容易に認識することができ、これをいわゆるスマートフォン，タブレット等の携帯端末に内蔵されたＣＭＯＳカメラ等の撮像素子にかざすだけで、これらの携帯端末にその物品等に関する情報を表示したり、それらを取り扱う企業や販売者等のウェブサイトに切り換え表示できるようにすることもできる。
さらには、次のような効果も期待される。
バーコードだけでは、貼り付けなどに伴うミスを起こしやすいが、商品を図形表現したものである場合、直感的に判断することが情報として付加されるので、ミスを軽減し、未然に防ぐことに役立つ。
また、従来のＱＲコード等では商品などが、近接していると、ターゲットとなる情報とは異なる情報を間違えて読み取るといったことが起こりがちであったが、商品の特徴をとらえた図形的な情報が直感的に確認することができるので、そのようなことも同時に防ぐことができる。
アイコン的な利用もできる為にＰＣ，タブレット上に複数あるなかから、ミスなく選択することができるといった効果もある。
さらには、ＡＩによって、周りの映像で認識される実際の商品とアイコン的に表された二次元コード情報との親和性を評価することにより、ミスをしている可能性を積極的に知らせるといった応用も可能である。
音声によるガイダンスが行いやすくなり、認識によって、目の不自由な人でも選択的に二次元コードを利用しやすくするといった利点もある。
点字などが、付加されているとなお扱いやすさ、理解のしやすさにも貢献できる。
マークポイントを基準とした識別タグ内の情報のみならず、それ以外の外形形状等も合せて、情報源として使用できる。
【図面の簡単な説明】
【０００９】
【図１】商品の外形を示す図形の内側に一体的に二次元コードを表現した例を示す。
【図２】二次元コードそのものにて商品の外形を表現した例を（ａ）〜（ｃ）に示す。
【図３】二次元コードの外側に一体的に商品の形状を表現した例を示す。
【図４】情報表示体を携帯端末のアイコンとして用いた例を示す。（ａ）は全体図、（ｂ）はアイコンの拡大図を示す。
【図５】情報表示体をキャッシュレスの決済に用いた例を示す。
【発明を実施するための形態】
【００１０】
本発明に係る情報表示体の例を以下図に基づいて説明するが、図形は商品の一例にしかすぎず、いろいろな商品や物品に適用できる。
【００１１】
図１は、本出願人が取り扱っている商品の例を示す。
この商品は金属製の飲料容器（グラス）であり、グラス同士を軽く打ち当てると、長い余韻のある音が鳴る。
いろいろな祝いや宴席にて行われる乾杯用のグラスとしても使用でき、乾杯グラスと称している。
【００１２】
図１は、この乾杯グラスの外形をシルエット状の外形線で表現した例であり、（ａ）は商品全体、（ｂ），（ｃ）は商品の特徴を示す要部であるカップ部品に、一体的にＱＲコード等の二次元コードを表現したものである。
二次元コードはＱＲコードに限定されない。
図２は二次元コードそのものにて商品の外形全体や要部の外形を表現した例である。
一般ユーザーや取引者がこの商品に関心を持ち、スマートフォンやタブレット端末のカメラをかざすと、この商品情報やウェブサイトが表示される。
さらにウェブサイトをクリックすると、販売，製作等を担当している企業のホームページを表示することもできる。
このように、二次元コードそのもので商品形状を表現すると、関心を持った一般ユーザーや取引者等がそのままスマートフォンやタブレット等の携帯端末をかざすだけで、それに関する情報を取り込むことができる。
よって、いろいろな商品のみならず、いろいろな旅行等のサービス業，観光地の説明等にも広く応用できる。
【００１３】
図２は、二次元コードそのもので商品の外形をシルエット状に表現した例である。
この場合も図２（ａ）のように商品全体を表現してもよく、（ｂ），（ｃ）のように商品の特徴部分のみを一体的に表現してもよい。
【００１４】
図３（ａ），（ｂ）は、本発明の応用例として二次元コードの外部に商品イメージ図を一体的に表現した例を示す。
【００１５】
図４（ａ）は、タブレット等の携帯端末１の画面を示し、画面上のアイコン２に本発明に係る情報表示体を用いた例を示し、（ｂ）にアイコンの拡大図を示す。
このようにすると、画面上に複数あるアイコンの中から希望する情報に合致したアイコンの選択が容易になる。
また、本発明に係る情報表示体は、図５に示すように携帯端末１を用いた電子決済の手段に使用することもできる。
この場合にも情報表示体の外形も含めた視覚による情報で、選択のミスが抑えられる。
【００１６】
本発明に係る情報表示体は、外形形状から生じる各種情報と二次コードによる情報を一体化した点に特徴がある。
よって、本発明に係る情報表示体は、シンボリックな地図記号に一体化してもよい。
このようにすると、地図記号の示す内容が瞬時に理解できると同時に、詳細な情報は二次元コードから入手できる。
このような特徴は、持ち歩く地図のみならず、駅前広場や交番等の道案内が必要とされる場所等に設定されている大きな地図案内板にも応用できる。
【００１７】
また、ＱＲコードには、二重四角形による切り出しシンボルと情報を取り込む各セルに対応したブロックとから構成されている。
このブロックを従来の四角のブロック表示でなく、シンボリックな意匠に表現すると形状として分かりやすくなり、図形としての補間情報により読み取りトラブルを抑えることができる。
【符号の説明】
【００１８】
１        携帯端末
２        アイコン
【図１】
2020140681.tif 000003
【図２】
2020140681.tif 000004
【図３】
2020140681.tif 000005
【図４】
2020140681.tif 000006
【図５】
2020140681.tif 000007
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
商品を表現した図形と、当該図形に一体的に表現した二次元コードとからなり、前記二次元コードにて前記商品の外形全体を表現してあることを特徴とする情報表示体。
【請求項２】
前記商品を表現した図形はグラスの外形全体であることを特徴とする請求項１記載の情報表示体。
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
商品を表現した図形と、当該図形に一体的に表現した二次元コードとからなり、前記二次元コードのみにて前記商品の外形全体をシルエットとして表現してあり、前記商品を表現した図形はグラスの外形全体であることを特徴とする情報表示体。